(57)【要約】【課題】  一枚の布団を、シーズンを越えて長期にわたって使用することができる布団用布地構造、その製造方法および布団を提供すること。【解決手段】  第１の布地１１と第２の布地１２の周縁部１９が縫い合わされて袋体が形成されるとともに、前記第１の布地１１と第２の布地１２の間において縦横方向に延びるマチ布１３，２０によって前記袋体が複数の区画室に区切られた布団用布地構造３０であって、前記マチ布１３が前記縦横方向に縫い縮められることにより、前記第１の布地１１の外面１１ａに複数のループ部３５ａ，３５ｂが形成されており、これら複数のループ部３５ａ，３５ｂが縫い合わされることにより、前記第１の布地１１の外面１１ａにタック４３が形成されていることを特徴とする。【選択図】  図１
2006255262.tif 000002
【特許請求の範囲】
【請求項１】
第１の布地と第２の布地の周縁部が縫い合わされて袋体が形成されるとともに、前記第１の布地と第２の布地の間において縦横方向に延びるマチ布によって前記袋体が複数の区画室に区切られた布団用布地構造であって、
前記マチ布が前記縦横方向に縫い縮められることにより、前記第１の布地の外面に複数のループ部が形成されており、これら複数のループ部が縫い合わされることにより、前記第１の布地の外面にタックが形成されていることを特徴とする布団用布地構造。
【請求項２】
前記タックが、前記複数のループ部の一部を縫い合わせることにより開閉可能に設けられた開閉タックであることを特徴とする請求項１に記載の布団用布地構造。
【請求項３】
前記開閉タックが、前記複数のループ部を、前記マチ布の交点を中心として十文字に縫い押さえることにより形成されていることを特徴とする請求項２に記載の布団用布地構造。
【請求項４】
第１の布地と第２の布地の周縁部分が縫い合わされて袋体が形成されるとともに、前記第１の布地と第２の布地の間において縦横方向に延びるマチ布によって前記袋体が複数の区画室に区切られた布団用布地構造の製造方法であって、
第１の布地の内面に、未縫い付け部を介して前記マチ布を縦横方向に縫い付ける縫い付け工程と、
前記マチ布の交点近傍において、前記未縫い付け部分を利用して、前記マチ布を縦横方向に縫い縮めて、前記第１の布地の外面に複数のループ部を形成するループ部形成工程と、
前記複数のループ部を縫い合わせて、前記第１の布地の外面にタックを形成するタック形成工程と、を備えることを特徴とする布団用布地構造の製造方法。
【請求項５】
前記タック形成工程において、前記複数のループ部を前記マチ布の交点を中心として十文字に縫い押さえて、開閉可能な開閉タックを形成することを特徴とする請求項４に記載の布団用布地構造の製造方法。
【請求項６】
請求項１から請求項３のいずれか一項に記載の布団用布地構造と、
前記区画室に設けられたクッション部材と、を備えることを特徴とする布団。
【発明の詳細な説明】
【技術分野】
【０００１】
本発明は、掛け布団に関し、特に使用面の違いによって放熱量を変えることのできる布団用布地構造、その製造方法および布団に関するものである。
【背景技術】
【０００２】
一般に、布団、特に掛け布団は使用する季節によって冬用、夏用、春秋用と使い分けられている。冬用には、保温性に富むもので羽毛や保温材の充填量を増して嵩高を増したものが使用され、夏用には、適度に熱を放出する材料を選択したり、保温材の充填量を少なくしたものが使用されている（例えば、特許文献１参照。）。図１２から図１４は、従来の布団用布地構造および布団の一例であり、図１２は従来の布団を示す平面図、図１３はその要部の分解斜視図、図１４はその要部の縫い付け時の斜視図である。従来の桟立て式の布団は、表生地１と裏生地２に、それぞれ格子状にマチ布３，４を縫い付け、マチ布３，４同士を縫い合わせることによって、複数の区画室５を有する布団用布地構造を形成していた。
【特許文献１】実開平０１−９９２７７号公報
【発明の開示】
【発明が解決しようとする課題】
【０００３】
しかし、従来の布団用布地構造では、表生地１側と裏生地２側のどちらから見ても同じ構造であり保温性に差はなかった。したがって、冬用、夏用、春秋用布団を用意しなければならず、それぞれの季節に合わせた布団を用意することは煩雑であった。また、我が国の住宅事情を考えると、他のシーズン用の布団を収納しておく場所の確保が難しいという問題があった。
【０００４】
本発明は、このような事情に鑑みてなされたものであって、一枚の布団を、シーズンを越えて長期にわたって使用することができる布団用布地構造、その製造方法および布団を提供することを目的とする。
【課題を解決するための手段】
【０００５】
上記目的を達成する為に、本発明の布団用布地構造は、第１の布地と第２の布地の周縁部分が縫い合わされて袋体が形成されるとともに、前記第１の布地と第２の布地の間において縦横方向に延びるマチ布によって前記袋体が複数の区画室に区切られた布団用布地構造であって、前記マチ布が前記縦横方向に縫い縮められることにより、前記第１の布地の外面に複数のループ部が形成されており、これら複数のループ部が縫い合わされることにより、前記第１の布地の外面にタックが形成されていることを特徴とする。
【０００６】
また、この発明において、前記タックが、前記複数のループ部の一部を縫い合わせることにより開閉可能に設けられた開閉タックであることが好ましい。
また、この発明において、前記開閉タックが、前記複数のループ部を、前記マチ布の交点を中心として十文字に縫い押さえることにより形成されていることが好ましい。
【０００７】
また、本発明の布団用布地構造の製造方法は、第１の布地と第２の布地の周縁部分が縫い合わされて袋体が形成されるとともに、前記第１の布地と第２の布地の間において縦横方向に延びるマチ布によって前記袋体が複数の区画室に区切られた布団用布地構造の製造方法であって、第１の布地の内面に、未縫い付け部を介して前記マチ布を縦横方向に縫い付ける縫い付け工程と、前記マチ布の交点近傍において、前記未縫い付け部分を利用して、前記マチ布を縦横方向に縫い縮めて、前記第１の布地の外面に複数のループ部を形成するループ部形成工程と、前記複数のループ部を縫い合わせて、前記第１の布地の外面にタックを形成するタック形成工程と、を備えることを特徴とする。
【０００８】
また、この発明は、前記タック形成工程において、前記複数のループ部を前記マチ布の交点に沿って十文字に縫い押さえて、開閉可能な開閉タックを形成するのが好ましい。
【０００９】
また、本発明の布団は、請求項１または請求項２に記載の布団用布地構造と、前記区画室に設けられたクッション部材と、を備えることを特徴とする。
【発明の効果】
【００１０】
この発明は上記した構成からなるので、以下に説明するような効果を奏することができる。
【００１１】
本発明によれば、前記マチ布が前記縦横方向に縫い縮められることにより、前記第１の布地の外面に複数のループ部が形成されており、これら複数のループ部が縫い合わされることにより、前記第１の布地の外面にタックが形成されているので、前記第１の布地の外面を身体側（内方側）に向けて使用することにより、タックとタックとの間のスペースが狭められ、高い保温性を確保することができ、寒いシーズンでも快適に睡眠を取ることができる。一方、前記第１の布地の外面を外方側に向けて使用すれば、タックとタックとの間のスペースが広がり、このスペースからの放熱量が増して、内方側の熱を容易に放熱することができ、暑いシーズンでも快適に睡眠を取ることができる。このように、表裏を使い分けることにより放熱量が変化して、一年の内で長い間使用することができる。また、年間を通じて使用する布団の種類が少なくて済むので、収納スペースを有効に使うことができる。さらに、一枚の布地からタックが形成されることとなり、肌触りを損なう虞もない。
【００１２】
また本発明では、前記タックが、前記複数のループ部の一部を縫い合わせることにより開閉可能に設けられた開閉タックであることから、前記第１の布地の外面を身体側に向けて使用すると、開閉タックが閉じられて、高い保温性を確保することができる。一方、前記第１の布地の外面を外方側に向けて使用すると、開閉タックが開放されて、内方側の熱をより一層容易に放熱することができる。
【００１３】
また、本発明では、前記開閉タックが、前記複数のループ部を、前記マチ布の交点を中心として十文字に縫い押さえることにより形成されていることから、開閉タックを容易に形成することができ、その開閉タックを確実に開閉させることができる。
【００１４】
また、本発明の布団用布地構造の製造方法は、縫い付け工程において、第１の布地の内面に、未縫い付け部を介して前記マチ布が縦横方向に縫い付けられ、ループ部形成工程において、前記マチ布の交点近傍で、前記未縫い付け部分を利用して、前記マチ布が縦横方向に縫い縮められて、前記第１の布地の外面に複数のループ部が形成される。そして、タック形成工程において、前記複数のループ部が縫い合わされて、前記第１の布地の外面にタックが形成される。そのため、布団用布地構造の表裏を使い分けることにより、異なる放熱効果を得ることができる。したがって、複数のシーズンに亘って使用することが可能である。
【００１５】
また、本発明では、前記タック形成工程において、前記複数のループ部が前記マチ布の交点に沿って十文字に縫い押さえられて、開閉可能な開閉タックが形成されることから、開閉タックを開閉させることにより、放熱または保温効果を確実に得ることができる。
【００１６】
また、本発明の布団は、請求項１または請求項２に記載の布団用布地構造と、前記区画室に設けられたクッション部材と、を備えるので、第１の布地を身体側にして使用すれば、高い保温性を確保することができ、寒いシーズンでも快適に睡眠を取ることができる。また、第１の布地を外方側にして使用すれば、タックからの放熱量が増して、暑いシーズンでも快適に睡眠を取ることができる。
【発明を実施するための最良の形態】
【００１７】
（実施例）
以下、一実施の形態を示す図面に基づいて本発明を詳細に説明する。
図１は、本発明に係る布団１０の実施例を示す平面図である。
布団１０は、布団用布地構造３０と、この布団用布地構造３０内に設けられたクッション部材３１とを備えている。
布団用布地構造３０は、図１から図３に示すように、直方体形状の第１の布地１１と第２の布地１２とを備えており、これら第１の布地１１と第２の布地１２とが、重ね合わされて、周縁部１９が縫い合わされることにより袋体として形成されたものである。
【００１８】
第１の布地１１は、第１の布地１１の内面１１ｂ（図４に示す）に設けられた第１のマチ布１３を備えており、第２の布地１２は、この第２の布地１２の内面に設けられた第２のマチ布２０を備えている。これら第１のマチ布１３および第２のマチ布２０は、縦横方向に延ばされている。なお、縦方向とは、第１および第２の布地１１，１２の長手方向をいい、横方向とは、第１および第２の布地１１，１２の短手方向をいうものとする。第１および第２のマチ布１３，２０は、それぞれ縦方向に延びる縦方向布地部１３ａ，２０ａと、横方向に延びる横方向布地部１３ｂ，２０ｂとを備えている。また、第１および第２のマチ布１３，２０は、図４に示すように、第１の布地１１と第２の布地１２との間（袋体内部）に配置され、それぞれが縫合部３２を介して縫い合わされている。そして、袋体内部は、第１および第２の布地１１，１２、並びに、第１および第２のマチ布１３，２０によって、複数の区画室１４に区切られている。
【００１９】
各区画室１４のうち、第１の布地１１側には、布団１０の厚さ方向外方に矩形状に突出する箱型部１５が設けられている。
箱型部１５は、縦方向布地部１３ａを前記縦方向に縫い縮めることによって形成されたループ部３５ａと、横方向布地部１３ｂを前記横方向に縫い縮めることによって形成されたループ部３５ｂとを、第１の布地１１の外面１１ａに縫い付けることによって形成されている。すなわち、対向する一対のループ部３５ａを互いに接近する方向に折り曲げ、さらに、対向する一対のループ部３５ｂを互いに接近する方向に折り曲げて、これら折り曲げられたループ部３５ａ，３５ｂをマチ布１３の交点Ｐを中心として外面１１ａに十文字に縫い押さえることによって、交点Ｐの周りに開閉タック４３が形成されており、マチ布１３の異なる４つの交点Ｐに設けられた開閉タック４３の先端を頂点として箱型部１５が形成されている。
開閉タック４３は、ループ部３５ａ，３５ｂの一部を縫い合わせることにより、開閉可能に構成されている。
【００２０】
次に、図５から図１２に従って開閉タック４３の形成手順について説明する。
先ず、図５および図６に示すように、ループ部３５ａ，３５ｂが形成される分、第２の布地１２に対して縦横方向に長く形成した第１の布地１１の内面１１ｂに、縦方向布地部１３ａおよび横方向布地部１３ｂを格子状に縫い付ける（縫い付け工程）。この縫い付け線がキルト部となる。縦方向布地部１３ａおよび横方向布地部１３ｂは、それぞれ帯状をなしており、縦方向布地部１３ａを交点Ｐで切断し、その切断された間に横方向布地部１３ｂを通すことにより、十文字に交差するようになっている。なお、切断するのは横方向布地部１３ｂであってもよい。また、縦方向布地部１３ａおよび横方向布地部１３ｂは、所定の寸法ｈで立ち上がり可能に第１の布地１１に縫い付けられている。さらに、交点Ｐ近傍において、第１の布地１１に縫い付けられていない未縫い付け部１６ａ，１６ｂがそれぞれ交点Ｐの両端に形成されている。
【００２１】
次に、交点Ｐ近傍において、未縫い付け部１６ｂを利用して、図８に示すように、横方向布地部１３ｂを横方向に縫い縮めて、交点Ｐを挟んだ一対の横ひだ部４０を横方向布地部１３ｂに形成する。これにより、図７に示すように、外面１１ａに、交点Ｐを挟んで縦方向に延びる一対のループ部３５ｂが形成される。さらに、未縫い付け部１６ａを利用して、図１０に示すように、縦方向布地部１３ａを縦方向に縫い縮めて、交点Ｐを挟んだ一対の縦ひだ部４１を縦方向布地部１３ａに形成する。これにより、図９に示すように、外面１１ａに、交点Ｐを挟んで横方向に延びるループ部３５ａが形成される（ループ部形成工程）。このとき、交点Ｐの周囲を取り囲むようにして、平面視して略矩形状をなすように、一対のループ部３５ａと、一対のループ部３５ｂとが形成される。
【００２２】
次いで、図１１に示すように、これらループ部３５ａ，３５ｂを、互いに接近する方向に、すなわち交点Ｐ側に倒して、外面１１ａに縫い押さえる。つまり、ループ部３５ａ，３５ｂを倒した状態で、ループ部３５ａ，３５ｂの一部を十文字に縫い付ける。そのため、交点Ｐを中心として縦横方向に延びる十文字部４２が設けられる。これらによって、ループ部３５ａ，３５ｂが縫い合わされて、開閉タック４３が形成される（タック形成工程）。開閉タック４３は、縁部が縫い合わされていないため、開放されてフリーな状態になっており、そのため開閉可能に構成されている。
これら一連の作業を第１の布地１１の各交点Ｐ毎に行うことにより、図１および図３に示すように、第１の布地１１に、箱型に突出する箱型部１５が形成される。
【００２３】
それから、第１の布地１１の内面１１ｂに縫い付けられたマチ布１３と、第２の布地１２の内面に縫い付けられたマチ布２０とを縫い合わせて、図４に示す縫合部３２を設けることにより、複数の区画室１４が形成される。区画室１４には、例えば、羽毛、ポリエステル等のクッション部材３１を充填する。また、第１の布地１１および第２の布地１２は綿等から構成されている。
【００２４】
以上のように構成された布団用布地構造３０によれば、図４に示すように、熱源が第２の布地１２側にある場合、すなわち、第１の布地１１の外面１１ａを外方に向けて使用した場合、開閉タック４３と開閉タック４３との間のスペースが広げられる。そして、これらスペースを介して放熱がスムーズに行われる。したがって、布団用布地構造３０の保温性がその分低くなり、暑い時期に使用すれば涼しく睡眠を取ることできる。一方、熱源が外面１１ａ側にある場合、すなわち、外面１１ａを身体側に向けて使用した場合、スペースが狭まり、放熱量が少なくなる。そのため、保温性が向上し寒い時期に使用すれば暖かく安眠できる。
【００２５】
また、開閉タック４３が開閉可能に設けられていることから、外面１１ａを外方に向けて使用した場合、開閉タック４３が拡開する。そして、これら拡開した開閉タック４３を介して放熱がよりスムーズに行われる。一方、外面１１ａを身体側に向けて使用した場合、開閉タック４３が閉じられて、放熱量が少なくなる。
【００２６】
＜熱画像試験＞
敷き布団に多重層羊毛パットを使用し、布団用布地構造３０の区画室１４には詰め物として、WGD９０％、羽毛１０％、詰め物重量を１．５ｋｇを使用した。また、外面１１ａを外方に向けた状態で、ふとん乾燥機を使用して３０分間、布団内部を暖めた直後の布団表面をサーモーカメラで撮影した結果、キルト部では、平均３１度であった。それ以外の箱型部１５では、約２６度であった。これに対して、１１ａを内方に向けた状態で同様の試験を行った場合では、裏のキルト部では平均２８度であった。
この熱画像試験より、寝床内からの熱の放出量に明らかに差があることが判った。つまり、外面１１ａを表にした場合、寝床内の熱が多く放出され、その分保温性が低いことが判った。
【００２７】
以上のように構成された布団用布地構造３０によれば、寒い日には第１の布地１１を裏側にして使用し、あまり寒くない日には第１の布地１１を表側にして使用すると云うように、その時に環境によって表裏の使い分けをすることができる。
【図面の簡単な説明】
【００２８】
【図１】本発明に係る布団の実施例を示す平面図である。
【図２】図１の布団を示す底面図である。
【図３】図１の布団を示す斜視図である。
【図４】図１の布団用布地構造を示す縦断面図である。
【図５】図１の布団用布地構造の製造工程を示す図であって、（ａ）は第１の布地を外面から見た平面図、（ｂ）は第１の布地を外面から見た斜視図である。
【図６】図１の布団用布地構造の製造工程を示す図であって、（ａ）は第１の布地を内面から見た平面図、（ｂ）は第１の布地を内面から見た斜視図である。
【図７】図１の布団用布地構造の製造工程において、縦方向に延びるループ部を形成した様子を示す図であって、（ａ）は第１の布地を外面から見た平面図、（ｂ）は第１の布地を外面から見た斜視図である。
【図８】図１の布団用布地構造の製造工程において、縦方向に延びるループ部を形成した様子を示す図であって、（ａ）は第１の布地を内面から見た平面図、（ｂ）は第１の布地を内面から見た斜視図である。
【図９】図１の布団用布地構造の製造工程において、縦横方向に延びるループ部を形成した様子を示す図であって、（ａ）は第１の布地を外面から見た平面図、（ｂ）は第１の布地を外面から見た斜視図である。
【図１０】図１の布団用布地構造の製造工程において、縦横方向に延びるループ部を形成した様子を示す図であって、（ａ）は第１の布地を内面から見た平面図、（ｂ）は第１の布地を内面から見た斜視図である。
【図１１】図１の布団用布地構造の製造工程において、開閉タックを形成した様子を示す図であって、（ａ）は第１の布地を外面から見た平面図、（ｂ）は第１の布地を外面から見た斜視図である。
【図１２】従来の布団を示す平面図である。
【図１３】従来の布団用布地構造の製造工程を示す説明図である。
【図１４】従来の布団用布地構造を示す要部切断斜視図である。
【符号の説明】
【００２９】
１１      第１の布地
１２      第２の布地
１３，２０  マチ布
１４      区画室
１６ａ，１６ｂ  未縫い付け部
１９      周縁部
３０      布団用布地構造
３１      クッション部材
３５ａ，３５ｂ  ループ部
４３      開閉タック
Ｐ        交点
【図１】
2006255262.tif 000003
【図２】
2006255262.tif 000004
【図３】
2006255262.tif 000005
【図４】
2006255262.tif 000006
【図５】
2006255262.tif 000007
【図６】
2006255262.tif 000008
【図７】
2006255262.tif 000009
【図８】
2006255262.tif 000010
【図９】
2006255262.tif 000011
【図１０】
2006255262.tif 000012
【図１１】
2006255262.tif 000013
【図１２】
2006255262.tif 000014
【図１３】
2006255262.tif 000015
【図１４】
2006255262.tif 000016